(57)【要約】【課題】駐車場において係員を介さずに予約の受け付け及び運用を可能とすることにより、利用者の利便性を向上させる情報管理装置、情報管理方法及びプログラムを提供する。【解決手段】実施形態に係る情報管理装置は、駐車場の予約データを管理するサーバ装置と通信可能である。予約データは、駐車場の利用開始日時及び利用終了日時により指定される利用期間情報と、第１の認証用データとを含む。情報管理装置は、サーバ装置より予約データのうち利用開始日時が所定の期間内にある部分予約データを受信する通信手段と、部分予約データを記憶する記憶手段と、予約済の利用者により第２の認証用データの入力を受け付ける入力手段と、第１の認証用データと第２の認証用データとを照会する第１の照会処理、及び、現在時刻と利用期間情報とを照会する第２の照会処理を実行し、第１の照会処理及び第２の照会処理に基づいて予約済の利用者の認証が成功した場合に、予約済の利用者の車両の入庫を許可する制御手段とを備える。【選択図】図１
2019197482.tif 000002
【特許請求の範囲】
【請求項１】
駐車場の予約データを管理するサーバ装置と通信可能であって、
前記予約データは、前記駐車場の利用開始日時及び利用終了日時により指定される利用期間情報と、第１の認証用データとを含み、
前記サーバ装置より前記予約データのうち前記利用開始日時が所定の期間内にある部分予約データを受信する通信手段と、
前記部分予約データを記憶する記憶手段と、
予約済の利用者により第２の認証用データの入力を受け付ける入力手段と、
前記第１の認証用データと前記第２の認証用データとを照会する第１の照会処理、及び、現在時刻と前記利用期間情報とを照会する第２の照会処理を実行し、前記第１の照会処理及び前記第２の照会処理に基づいて前記予約済の利用者の認証が成功した場合に、前記予約済の利用者の車両の入庫を許可する制御手段と、
を備える
情報管理装置。
【請求項２】
前記記憶手段は、前記駐車場へ入庫した未予約の利用者の車両数を示す入庫数データを記憶し、
前記制御手段は、
前記駐車場の入庫可能数と、前記入庫数データと、前記部分予約データのうち利用開始日が当日を示す予約数とに基づいて、前記駐車場が満車状態であるか空車状態であるかを決定し、
前記駐車場が満車状態の場合に、未予約の利用者の車両の入庫を許可せず、かつ前記認証が成功した前記予約済の利用者の車両の入庫を許可する
請求項１に記載の情報管理装置。
【請求項３】
前記制御手段は、
前記入庫可能数から前記入庫数データを減算した値が、前記予約数以下である場合に、前記駐車場が満車状態であると決定する
請求項２に記載の情報管理装置。
【請求項４】
前記記憶手段は、前記駐車場へ入庫した未予約の利用者の車両数を示す入庫数データを記憶し、
前記制御手段は、
前記駐車場の入庫可能数と、前記入庫数データと、前記駐車場において予約可能な車室数を示す予約可能数とに基づいて、前記駐車場が満車状態であるか空車状態であるかを決定し、
前記駐車場が満車状態の場合に、未予約の利用者の車両の入庫を許可せず、かつ前記認証が成功した前記予約済の利用者の車両の入庫を許可する
請求項１に記載の情報管理装置。
【請求項５】
前記制御手段は、
前記入庫可能数から前記入庫数データを減算した値が、前記予約可能数以下である場合に、前記駐車場が満車状態であると決定する
請求項４に記載の情報管理装置。
【請求項６】
前記制御手段は、前記第１の認証用データ及び前記第２の認証用データとして暗証番号又は車番を用いることにより、前記第１の照会処理を実行する
請求項１乃至請求項５のいずれか一項に記載の情報管理装置。
【請求項７】
駐車場の予約データを管理するサーバ装置と通信可能であり、前記駐車場に設置される情報管理装置が実行する情報管理方法であって、
前記予約データは、前記駐車場の利用開始日時及び利用終了日時により指定される利用期間情報と、第１の認証用データとを含み、
前記サーバ装置より前記予約データのうち前記利用開始日時が所定の期間内にある部分予約データを受信することと、
前記部分予約データを記憶することと、
予約済の利用者により第２の認証用データの入力を受け付けることと、
前記第１の認証用データと前記第２の認証用データとを照会する第１の照会処理を実行することと、
現在時刻と前記利用期間情報とを照会する第２の照会処理を実行することと、
前記第１の照会処理及び前記第２の照会処理に基づいて前記予約済の利用者の認証が成功した場合に、前記予約済の利用者の車両の入庫を許可することと、
を具備する情報管理方法。
【請求項８】
駐車場の予約データを管理するサーバ装置と通信可能であり、前記駐車場に設置されるコンピュータにより実行されるプログラムであって、
前記予約データは、前記駐車場の利用開始日時及び利用終了日時により指定される利用期間情報と、第１の認証用データとを含み、
前記サーバ装置より前記予約データのうち前記利用開始日時が所定の期間内にある部分予約データを受信する手段と、
前記部分予約データを記憶する手段と、
予約済の利用者により第２の認証用データの入力を受け付ける手段と、
前記第１の認証用データと前記第２の認証用データを照会する第１の照会処理を実行する手段と、
現在時刻と前記利用期間情報とを照会する第２の照会処理を実行する手段と、
前記第１の照会処理及び前記第２の照会処理に基づいて前記予約済の利用者の認証が成功した場合に、前記予約済の利用者の車両の入庫を許可する手段と、
して機能させるためのプログラム。
【発明の詳細な説明】
【技術分野】
【０００１】
本発明は、駐車場の予約に適用される情報管理装置、情報管理方法及びプログラムに関する。
【背景技術】
【０００２】
有料駐車場においては、有人又は無人により車両の入出庫が管理される。例えば、ある程度規模の大きい駐車場においては、例えば車両の出口及び入口に車両の進入を妨げるゲートが配置され、ゲートの開閉により車両の入出庫を管理される。このようなゲート式の駐車場システムにおいては、車両が入口のゲートに接近した際、空車状態（駐車場に車両を止める空きスペースがある状態）であればゲートを開き、当該車両を駐車場に入庫させる。また、車両が出口のゲートに接近した際に、駐車料金の精算を促し、料金の精算が完了するとゲートを開いて当該車両を駐車場から出庫させる。
【先行技術文献】
【特許文献】
【０００３】
【特許文献１】特開２００２−２０８０４３号公報
【発明の概要】
【発明が解決しようとする課題】
【０００４】
例えば上述のようなゲート式の駐車場において、利用者が駐車スペース（車室とも呼ぶ）を予約する場合、駐車場に係員を配置し、係員により予約車両の確認及び駐車スペースの確保がなされる必要があった。例えば、係員は予約済の利用者にサービス券などを手渡すことにより、予約済の利用者の車両の入出庫管理を行っていた。また係員は、予約数に応じて手動で駐車場システムにおける満空情報の調整を行う必要があった。このため、ゲート式駐車場においては予約の受け付け及び運用に手間がかかり、係員及び利用者の利便性を欠いていた。
【０００５】
本発明は、上記事情に鑑みてなされており、駐車場において係員を介さずに予約の受け付け及び運用を可能とする情報管理装置、情報管理方法及びプログラムを提供することを目的とする。
【課題を解決するための手段】
【０００６】
本発明の実施形態によれば、情報管理装置は、駐車場の予約データを管理するサーバ装置と通信可能である。前記予約データは、前記駐車場の利用開始日時及び利用終了日時により指定される利用期間情報と、第１の認証用データとを含む。前記情報管理装置は、前記サーバ装置より前記予約データのうち前記利用開始日時が所定の期間内にある部分予約データを受信する通信手段と、前記部分予約データを記憶する記憶手段と、予約済の利用者により第２の認証用データの入力を受け付ける入力手段と、前記第１の認証用データと前記第２の認証用データとを照会する第１の照会処理、及び、現在時刻と前記利用期間情報とを照会する第２の照会処理を実行し、前記第１の照会処理及び前記第２の照会処理に基づいて前記予約済の利用者の認証が成功した場合に、前記予約済の利用者の車両の入庫を許可する制御手段とを備える。
【発明の効果】
【０００７】
本発明によれば、駐車場において係員を介さずに予約の受け付け及び運用を可能とすることにより、利用者の利便性を向上させる。
【図面の簡単な説明】
【０００８】
【図１】実施形態に係る情報管理システムの一例を示すブロック図。
【図２】実施形態に係る部分予約データの一例を示す図。
【図３】実施形態に係る駐車場入庫証明データの一例を示す図。
【図４】実施形態に係る情報管理システムを用いた利用者による駐車場入出庫手順の一例を示す図。
【図５】実施形態に係る駐車場予約処理の一例を示すフローチャート。
【図６】実施形態に係る入出庫処理の一例を示すフローチャート。
【図７】実施形態に係る満空情報制御処理の一例を示すフローチャート。
【発明を実施するための形態】
【０００９】
以下、図面を参照して、発明の実施形態について説明する。この説明においては、全図にわたり共通の部分には共通の参照符号を付す。
【００１０】
本実施形態において、会員とは、駐車場を利用する利用者のうち、あらかじめサーバ装置２に利用者情報を登録した利用者を指す。
【００１１】
また、本実施形態において予約済の利用者とは、駐車場へ入出庫する際に、後述する管理端末６に認証用データ（例えば、後述する暗証番号、車番など）を入力する利用者を指す。また、未予約の利用者とは、駐車場へ入出庫する際に、管理端末６に認証用データを入力しない利用者を指す。
【００１２】
本実施形態において、駐車場とは、ゲートにより車両の入出庫が管理されるゲート式駐車場であるとする。また、駐車場は、商業施設、公共施設の駐車場を含む。以下では、駐車場の利用料は有料であるとして説明するが、無料駐車場についても同様に本発明を適用可能である。
【００１３】
本実施形態において、ゲートとは、駐車場への車両の入庫を物理的に許可又は拒否する装置のみならず、感覚的又は心理的に利用者（車両のドライバー）に車両の入庫の許否を認識させる装置を含む。
【００１４】
図１は、本実施形態に係る情報管理システム１の一例を示すブロック図である。
【００１５】
情報管理システム１は、サーバ装置２と、ユーザ端末４と、管理端末６とを含む。サーバ装置２とユーザ端末４、及び、サーバ装置２と管理端末６は、ネットワークＮを経由して相互に通信可能に接続されている。サーバ装置２は、複数のユーザ端末４及び管理端末６と通信可能である。
【００１６】
ユーザ端末４は利用者の数だけ複数存在してもよい。また、管理端末６は駐車場ごとに設置される。
【００１７】
サーバ装置２は、サーバ装置２にインストールされたアプリケーションプログラムにより、ユーザ端末４及び管理端末６と通信を行う。
【００１８】
サーバ装置２は、ユーザ端末４を経由して駐車場の予約を受け付け、受け付けた予約データを更新・管理する。サーバ装置２は、利用者の会員データと、当該会員より受け付けた予約データとを対応付ける。
【００１９】
また、サーバ装置２は、駐車場ごとに設置される管理端末６の要求に応じて、又は、あらかじめ定められた間隔毎もしくは日時に、当該管理端末６に対し予約データのうち一部のデータを管理端末６へ送信する。
【００２０】
サーバ装置２は、例えば、通信部２１、記憶部２２、制御部２３、データベースＤＢなどを含む情報管理装置である。データベースＤＢは、例えば記憶装置である。
【００２１】
データベースＤＢは、例えば、会員データＭ、予約データＲ１、駐車場入庫証明データＴなどを格納する。
【００２２】
会員データＭは、会員の個人情報を含むデータであり、例えば会員番号、会員名、会員ＩＤ、ログインパスワード、性別、年齢、生年月日、住所、その他会員に関する情報のうちいずれかを含む。
【００２３】
本実施形態においては、利用者がサーバ装置２へ会員登録済である場合に、ユーザ端末４より駐車場の予約を行うことができるものとする。サーバ装置２は、ユーザ端末４より駐車場の予約を受け付ける場合に、当該利用者の会員データＭのうち利用者を特定するために必要な情報（例えば、会員ＩＤ、ログインパスワードなど）を用いて、当該利用者を認証することが好ましい。
【００２４】
予約データＲ１は、利用者の駐車場予約に関する情報であり、予約番号Ｇ１、暗証番号Ｇ２、料金情報Ｉ１、利用期間情報Ｉ２、車両情報Ｉ３を含む。
【００２５】
予約番号Ｇ１は、予約データＲ１を識別するために付与される番号である。予約番号Ｇ１は、ユーザ端末４より予約を受け付け、予約データが生成されるごとに、すなわち受付時刻順に連番で付与されてもよい。なお、予約番号Ｇ１は、例えば複数桁の数字、又は、数字及び記号の組み合わせにより表されてもよい。
【００２６】
暗証番号Ｇ２は、予約済の利用者が、駐車場に入出庫する際に管理端末６に入力する認証用データである。暗証番号Ｇ２は、予約データＲ１ごとに異なる番号であることが好ましい。
【００２７】
暗証番号Ｇ２は、例えば予約データＲ１の生成後（又は予約データＲ１の生成時）に自動的に生成される。
【００２８】
暗証番号Ｇ２は、予約番号Ｇ１に対し所定の処理が加えられることにより算出されてもよい。ここで、所定の処理とは、数値変換に関するあらゆる処理を示す。なお、暗証番号Ｇ２は、予約番号Ｇ１と同じく、例えば複数桁の記号、又は、数字及び記号の組み合わせにより表されてもよい。
【００２９】
料金情報Ｉ１は、駐車場の利用料を含む。駐車場の利用料は、例えば駐車時間に比例して発生してもよく、駐車時間に関係なく定額で発生してもよい。料金情報Ｉ１は、例えば利用期間情報Ｉ２に基づいて算出される。なお、料金情報Ｉ１は、例えば駐車場の予約により発生する予約金及び／又は予約の解約により発生する違約金など、駐車場の予約に基づいて発生する料金を含んでいてもよい。
【００３０】
利用者は、料金情報Ｉ１に表示された料金を、例えばユーザ端末４を用いたオンライン決済などにより駐車場の利用前又は利用後に支払ってもよい。また、利用者は、当該料金を駐車場の精算機９を用いて支払ってもよい。
【００３１】
利用期間情報Ｉ２は、予約により駐車場を利用する期間を示す。利用期間情報Ｉ２は、利用開始日及び利用終了日により指定される。なお、利用開始日及び／又は利用終了日には、日付だけでなく時間帯を示す情報が含まれていてもよい。
【００３２】
車両情報Ｉ３は、予約データＲ１に基づいて駐車場に入庫する車両に関する情報を示す。
【００３３】
なお、会員データＭには、会員の情報管理システム１の利用履歴に関する情報が格納されてもよい。利用履歴は、例えば会員の過去の予約データＲ１などである。
【００３４】
駐車場入庫証明データＴは、駐車場の予約内容を証明するデータであり、ユーザ端末４に表示される。駐車場入庫証明データＴには、少なくとも利用者の車両が予約に基づいて駐車場へ入庫するための暗証番号Ｇ２が含まれる。駐車場入庫証明データＴの詳細については、図３を用いて後述する。
【００３５】
通信部２１は、サーバ装置２を有線又は無線通信によりネットワークＮに接続させる。通信部２１は、ネットワークＮを経由してユーザ端末４及び管理端末６とのコマンド、アドレス、データ、信号などの送受信を制御する。ネットワークＮは、例えば、インターネットなどである。
【００３６】
記憶部２２は、例えばハードディスク、ＳＳＤ（Solid State Drive）、フラッシュメモリなどにより記憶領域を構成する。記憶部２２は、各種ソフトウェア又はデータを格納する。各種ソフトウェアは、オペレーティングシステム（ＯＳ）、データ管理プログラム、及び各種アプリケーションプログラム等を含む。記憶部２２は、例えばプログラムＰを格納する。
【００３７】
また、記憶部２２は、ユーザ端末４又は管理端末６との間で送受信されるデータを一時的に格納するためにも用いられる。
【００３８】
制御部２３は、各種ソフトウェア（アプリケーションプログラム）を実行し、サーバ装置２全体を制御する。制御部２３は、例えば、ＣＰＵ（Central Processing Unit）、ＭＰＵ（Micro Processing Unit）、ＤＳＰ（Digital Signal Processor）などである。
【００３９】
制御部２３は、例えば、通信部２１、記憶部２２、データベースＤＢと内部バスＢ１により電気的に接続されており、各部からのコマンドなどに基づいて、各部の諸動作を制御する。制御部２３は、サーバ装置２に入力されたデータ、又はそれらのデータの計算結果に基づいて各部を制御し、必要に応じて各部にコマンドなどを出力する。
【００４０】
制御部２３は、例えば、記憶部２２に格納されたプログラムＰを実行することにより、例えば、予約受付部２３１、予約管理部２３２として機能する。
【００４１】
予約受付部２３１は、ユーザ端末４を経由して駐車場の予約を受け付ける。より具体的には、ユーザ端末４より駐車場の予約要求を受信し、当該予約要求に基づいて予約データＲ１を発行する。当該予約要求には、予約データＲ１に含まれる利用期間情報Ｉ２、車両情報Ｉ３などが含まれる。予約が完了した場合、すなわち予約データＲ１の発行が完了した場合に、予約受付部２３１は、予約が完了した旨の通知をユーザ端末へ送信する。
【００４２】
予約受付部２３１は、駐車場予約のキャンセル要求を受信した場合に、例えば、当該キャンセル要求に対応する発行済の予約データＲ１を削除するとともに、予約のキャンセルが完了した旨の通知をユーザ端末４へ送信してもよい。
【００４３】
また、予約受付部２３１は、発行した予約データＲ１を会員データＭと関連付けてデータベースＤＢに格納する。
【００４４】
予約管理部２３２は、予約受付部２３１により予約データＲ１が発行された後に（又は予約データＲ１が発行されたと同時に）、駐車場入庫証明データＴを生成する。
【００４５】
また、予約管理部２３２は、管理端末６からのデータの取得要求を受信した場合に、又は、あらかじめ定められた間隔毎もしくは日時に、予約データＲ１のうち管理端末６が要求するデータを抽出し、管理端末６へ送信する。
【００４６】
ユーザ端末４は、例えば、利用者が使用する情報管理装置である。ユーザ端末４は、ユーザ端末４にインストールされたアプリケーションプログラム又はブラウザなどを用いて、ネットワークＮを経由してサーバ装置２が生成した画面データを受信し、当該画面データをユーザ端末４の備えるディスプレイに表示可能である。また、利用者は、ユーザ端末４に表示された画面データに基づいてサーバ装置２へデータ、指令などを送信可能である。利用者は、例えば、ユーザ端末４を操作することにより、駐車場の予約又は予約のキャンセルが可能である。
【００４７】
ユーザ端末４は、例えば、スマートフォン、タブレット型コンピュータ、ノート型コンピュータなどのモバイル型端末でもよく、又は、デスクトップ型コンピュータなどの据え置き型端末でもよい。
【００４８】
ユーザ端末４は、例えば、通信部４１、記憶部４２、制御部４３、入力部４４、表示部４５などを含む。
【００４９】
通信部４１は、ユーザ端末４を有線又は無線通信によりネットワークＮに接続させる。通信部４１は、ネットワークＮを経由してサーバ装置２とコマンド、アドレス、データ、信号などの送受信を制御する。また、通信部４１は、例えばＢｌｕｅｔｏｏｔｈ（登録商標）、ＲＦＩＤ（radio frequency identifier）などによる近距離無線通信を行うためのデバイスを備えていてもよい。ユーザ端末４は、当該近距離無線通信を用いて、例えば管理端末６との間でデータの送受信を行ってもよい。
【００５０】
記憶部４２は、記憶部２２と同様に、ユーザ端末４の記憶領域を構成する。
【００５１】
制御部４３は、制御部２３と同様、各種ソフトウェア（プログラム）を実行し、ユーザ端末４全体を制御する。制御部４３は、例えば、通信部４１、記憶部４２、入力部４４、表示部４５と内部バスＢ２により電気的に接続されており、各部からのコマンドなどに基づいて、各部の諸動作を制御する。
【００５２】
制御部４３は、ユーザ端末４をサーバ装置２のクライアントとして機能させるために必要な処理を行う。本実施形態においては、サーバ装置２は、例えばウェブサーバの機能を有し、制御部４３は、例えばブラウザの機能を備える。すなわち、制御部４３は、サーバ装置２の制御部が生成した表示データを受信し、受信した表示データをブラウザを用いて表示部４５に表示し、又は、ブラウザ上で書き換えられた表示データをサーバ装置２へ送信する。ユーザ端末４のユーザは、表示部４５を通じてサーバ装置より受信した表示データを確認可能である。さらに、ユーザは入力部４４を経由して表示部４５に表示された表示データを書き換え可能である。
【００５３】
入力部４４は、ユーザ端末４への入力を入力データとして受け付ける。入力部４４は、例えばキーボード、マウス、タッチパネル、マイクなどの入力装置うち少なくとも１つを含む。
【００５４】
表示部４５は、制御部４３の指令により生成される画面データ及びその他のデータを、ユーザ端末４の利用者が視認可能な形式で出力する。表示部４５は、例えばディスプレイなどである。
【００５５】
管理端末６は、ゲート式の駐車場に設置されている情報管理装置である。管理端末６は駐車場ごとに設置され、ゲート７の開閉を制御することにより、駐車場を利用する車両の入出庫を管理する。以下では、１台の管理端末６が車両の入出庫の両方を管理するとして説明する。
【００５６】
なお、管理端末６は、駐車場の入口及び出口が離れている場合は、入り口及び出口に分けて設置されてもよい。具体的には、管理端末６は、例えば駐車場の入口に設置され、入庫する車両を管理する第１の管理端末と、駐車場の出口に配置され、出庫する車両の管理及び精算機９により料金精算を行う第２の管理端末に分けて設置されてもよい。
【００５７】
管理端末６は、満空情報の表示を行う満空表示装置８、及び、駐車料金の精算を行う精算機９に接続される。精算機９は、管理端末６に含まれていてもよい。
【００５８】
管理端末６は、例えば、通信部６１、記憶部６２、制御部６３、入力部６４、表示部６５などを含む。
【００５９】
通信部６１は、通信部４１と同様の役割を有する。通信部６１は、管理端末６を有線又は無線通信によりネットワークＮに接続させる。通信部６１は、ネットワークＮを経由してサーバ装置２とコマンド、アドレス、データ、信号などの送受信を制御する。なお、管理端末６は、通信部４１と同様に、例えばＢｌｕｅｔｏｏｔｈ（登録商標）、ＲＦＩＤなどの近距離無線通信を用いて、ユーザ端末４との間でデータの送受信を行ってもよい。
【００６０】
記憶部６２は、記憶部２２，４２と同様に、管理端末６の記憶領域を構成する。記憶部６２は、例えば、部分予約データＲ２、入庫数データＤを格納する。また、記憶部２２は、例えばプログラムＰ２を格納する。
【００６１】
部分予約データＲ２は、予約データＲ１に含まれるデータのうち一部のデータである。上述のように、サーバ装置２が管理する予約データＲ１には、ユーザ端末４より受け付けた予約が全て含まれるため、データ量が大きくなる。このため、管理端末６は、サーバ装置２より、予約データＲ１のうち当該管理端末６が設置されている駐車場のデータのみを取得する。
【００６２】
より具体的には、管理端末６は、当該管理端末６が設置されている駐車場を対象とする予約データのみを取得する旨の第１の要求をサーバ装置２へ送信し、当該要求に基づいて受信したデータを部分予約データＲ２として記憶部６２に格納する。
【００６３】
また、管理端末６は、予約データＲ１のうち、所定の利用期間で絞り込んだデータのみを取得する旨の第２の要求をサーバ装置２へ送信してもよい。所定の利用期間で絞り込んだデータとは、例えば利用開始日が所定期間内であるデータであり、より具体的には、利用開始日が当日のデータ、利用開始日が当日から１週間以内のデータなどである。所定の利用期間は、自由に設定可能である。
【００６４】
以下では、管理端末６は、上記の第１の要求及び第２の要求を含む部分予約データ取得要求を、サーバ装置２へ送信するものとして説明する。
【００６５】
なお、管理端末６は、部分予約データＲ２をサーバ装置２より取得する際に、部分予約データ取得要求をサーバ装置２へ送信しなくてもよい。この場合、サーバ装置２の予約管理部２３２は、予約データＲ１のうち管理端末６が設置されている駐車場のデータかつ所定の利用期間で絞り込んだデータを、あらかじめ定められた間隔毎もしくは日時に管理端末６へ送信する。
【００６６】
部分予約データＲ２は、予約データＲ１に含まれるデータのうち、少なくとも利用期間情報Ｉ２、登録済の暗証番号Ｇ２を含む。なお、部分予約データＲ２には、他のデータが含まれていてもよい。部分予約データＲ２の詳細は、図２を用いて後述する。
【００６７】
入庫数データＤは、管理端末６により管理される駐車場に入庫している未予約の利用者の車両数をリアルタイムに示すデータである。すなわち、未予約の利用者の車両が当該駐車場に入出庫した場合、入庫数データＤは変化しない。なお、入庫数データＤは、駐車場に入庫している車両数から予約済の車両数を減算することにより求められてもよい。入庫数データＤは、例えば後述する満空情報制御部６３３により算出される。
【００６８】
制御部６３は、制御部２３と同様、各種ソフトウェア（プログラム）を実行し、管理端末６全体を制御する。制御部６３は、例えば、通信部６１、記憶部６２、入力部６４、表示部６５と内部バスＢ３により電気的に接続されており、各部からのコマンドなどに基づいて、各部の諸動作を制御する。
【００６９】
制御部６３は、例えば、記憶部６２に格納されたプログラムＰ２を実行することにより、例えば、予約照会部６３１、ゲート制御部６３２、満空情報制御部６３３として機能する。
【００７０】
予約照会部６３１は、サーバ装置２に対し、上述の部分予約データ取得要求を送信する。予約照会部６３１は、当該要求に対して受信した部分予約データＲ２を記憶部６２に格納する。
【００７１】
また、予約照会部６３１は、暗証番号照会処理を実行することにより、当該利用者の車両が駐車場へ入庫すること又は出庫することを許可するか否かを決定する。暗証番号照会処理は、予約済の利用者により入力された暗証番号と部分予約データＲ２とを照会する処理である。
【００７２】
なお、利用者の車両の出庫が許可されない場合、利用期間を経過しているため、当該車両の駐車に対して追加料金が発生している。この場合、当該利用者は、追加料金を支払うことで駐車場からの出庫を許可される。なお、利用者は、管理端末６の精算機により追加料金を支払ってもよく、又は、例えばオンライン決済などにより追加料金を支払ってもよい。
【００７３】
ゲート制御部６３２は、ゲート７の開閉を制御する。ゲート制御部６３２は、駐車場を未予約の利用者の車両が駐車場に入庫しようとする際、例えば満空情報制御部６３３により駐車場の車両数に空きがある（すなわち、空車状態である）と判定された場合に、当該車両の入庫を許可し、ゲート７を開ける。
【００７４】
ゲート制御部６３２は、駐車場を予約済の利用者の車両が駐車場に入庫しようとする際、当該駐車場が満車状態であるか又は空車状態であるかに関わらず、予約照会部６３１が利用者の車両に対して駐車場への入庫を許可した場合に、ゲート７を開ける。
【００７５】
ゲート制御部６３２は、未予約の利用者の車両が駐車場から出庫する際、精算機９において駐車料金の精算が完了したと判定した場合に、当該車両の出庫を許可し、ゲート７を開ける。また、ゲート制御部６３２は、予約照会部６３１が予約済の利用者の車両に対して駐車場からの出庫を許可した場合に、ゲート７を開ける。
【００７６】
ゲート制御部６３２は、ゲート７を開けた後、ゲート７を車両が通過したと判定した場合に、ゲート７を閉じる。
【００７７】
満空情報制御部６３３は、駐車場の満空情報を管理し、当該満空情報を満空表示装置８に表示する。ここで、満空情報とは、駐車場が満車状態であるか又は空車状態であるかを示す情報である。例えば、駐車場が満車状態であれば満空表示装置８には「満」と表示され、空車状態であれば満空表示装置８には「空」と表示される。なお、満空情報は、駐車場に収容可能な総車両数を示す入庫可能数と、入庫数データＤと、部分予約データＲ２に含まれる予約数に基づいて決定される。この満空情報の決定処理の詳細については、図７を用いて後述する。
【００７８】
入力部６４は、管理端末６への入力を入力データとして受け付ける。入力部６４は、例えば、タッチパネル、ボタン、マイクなどの入力装置うち少なくとも１つを含む。ボタンは、例えばテンキーなどである。また、本実施形態において、入力部６４は、２次元コード読み取り装置を備えていることが好ましい。さらに、入力部６４は、駐車場に入庫する車両のナンバープレートを読み取ることにより当該車両の車番を認識する装置（車番認証システム）を備えていてもよい。
【００７９】
表示部６５は、制御部６３の指令により生成される画面データ及びその他のデータを、利用者が視認可能な形式で出力する。表示部６５は、例えばディスプレイなどである。なお、管理端末６において、表示部６５は省略可能である。
【００８０】
図２は、本実施形態に係る部分予約データＲ２の一例を示す図である。
【００８１】
部分予約データＲ２は、上述のように暗証番号Ｇ２と利用期間情報Ｉ２とを含む。利用期間情報Ｉ２は、例えば利用開始日（入庫予定日）、利用終了日（出庫予定日）などを含む。また、図２の例では、部分予約データＲ２には、予約データＲ１のうち、管理端末６が設置されている駐車場において、利用開始日（入庫予定日）が「５／１」であるデータのみが含まれている。
【００８２】
図３は、本実施形態に係る駐車場入庫証明データＴの一例を示す図である。より具体的には、図３は、ユーザ端末４の表示部４５に駐車場入庫証明データＴが表示された状態を示す。
【００８３】
駐車場入庫証明データＴは、上述のように、予約データＲ１の発行後（又は発行と同時）に予約管理部２３２により生成される。
【００８４】
駐車場入庫証明データＴは、例えば、２次元コードＣ、利用期間情報Ｉ２、予約番号Ｇ１、暗証番号Ｇ２、料金情報Ｉ１、車両情報Ｉ３などを含む。なお、駐車場入庫証明データＴには、例えば予約データＲ１のうち上述以外のデータが含まれていてもよい。
【００８５】
２次元コードＣは、暗証番号Ｇ２を示す情報を含む画像である。予約済の利用者は、２次元コードＣを管理端末６の入力部６４に読み取らせることにより、暗証番号を管理端末６へ入力することができる。
【００８６】
図４は、本実施形態に係る情報管理システムを用いた利用者による駐車場入出庫手順の一例を示す図である。
【００８７】
ステップＳ１において、利用者は駐車場予約を開始するにあたり、ユーザ端末４を用いてサーバ装置２にアクセス（ログイン）する。利用者は、ユーザ端末４を経由して駐車場、車種、利用日時などを指定し、予約を完了させる。駐車場予約が完了すると、サーバ装置２の予約管理部２３２により駐車場入庫証明データＴが発行される。
【００８８】
ステップＳ２において、利用者は、ユーザ端末４に駐車場入庫証明データＴを表示させる。
【００８９】
ステップＳ３において、利用者は、利用期間内に駐車場へ入庫し、ユーザ端末４を管理端末６の２次元コード読み取り装置（入力部６４）にかざすことにより、ユーザ端末４に表示された２次元コードＣを管理端末６に入力する。利用者は、管理端末６により車両の入庫が許可された場合に、車両を駐車場に入庫させる。
【００９０】
ステップＳ４において、利用者は、ステップＳ３と同様、出庫時においてもユーザ端末４を管理装置６にかざすことにより、ユーザ端末４に表示された２次元コードＣを管理装置６に入力する。利用者は、管理端末６により車両の出庫が許可された場合に、車両を駐車場から出庫させる。
【００９１】
なお、ステップＳ３，Ｓ４においては、管理端末６がユーザ端末４に表示された２次元コードＣを読み込むことに代えて、利用者により例えば管理端末６に備えられたテンキーを押下することにより、暗証番号Ｇ２が管理端末６に直接入力されてもよい。
【００９２】
以下、図５及び図６を用いて、本実施形態に係る駐車場予約処理及び入出庫処理を詳細に説明する。
【００９３】
図５は、本実施形態に係る駐車場予約処理の一例を示すフローチャートである。
【００９４】
駐車場予約処理は、ユーザ端末４及びサーバ装置２により実行される。ステップＳ１０１〜Ｓ１０６に示す処理は、図４のステップＳ１に相当する処理である。
【００９５】
ステップＳ１０１において、まずユーザ端末４は、サーバ装置２へアクセスし、駐車場予約のための駐車場検索を行う画面（検索画面）などを表示部４５に表示する。利用者は、表示部４５に表示された当該検索画面を用いて、予約対象となる駐車場を探す。なお、サーバ装置２は、ユーザ端末４が指定した駐車場の予約状況などを図示しない駐車場データベースなどを用いて検索し、検索結果をユーザ端末４へ返す。
【００９６】
その後ユーザ端末４は、利用者の操作により、予約対象となる駐車場の予約要求をサーバ装置２へ送信する。
【００９７】
ステップＳ１０２において、サーバ装置２の予約受付部２３１は、利用者のログインを促す画面（ログイン画面）を生成する。生成されたログイン画面は、ユーザ端末４の表示部４５に表示される。なお、ステップＳ１０３において、利用者が会員未登録である場合には、会員データＭの入力を利用者の会員登録を促す画面（登録画面）をしてもよい。サーバ装置２は、入力された会員データＭをデータベースＤＢに格納する。以下では、利用者はすでに会員登録済であるとして説明する。
【００９８】
ステップＳ１０３において、ユーザ端末４の制御部４３は、利用者に対し、入力部４４を経由して利用者を特定するために必要な情報（例えば、会員ＩＤ、ログインパスワードなど）を入力させる。なお、ステップＳ１０２，Ｓ１０３の処理は、ステップＳ１０１より前の時点で行われてもよい。
【００９９】
ステップＳ１０４において、サーバ装置２の予約受付部２３１は、利用者のログインが成功した場合に、ステップＳ１０１において利用者が指定した予約対象となる駐車場を予約するための画面（予約データ入力画面）を生成する。生成された予約データ入力画面は、ユーザ端末の表示部４５に表示される。
【０１００】
ステップＳ１０５において、ユーザ端末４の制御部４３は、利用者に対し、入力部４４を経由して予約データＲ１に含まれるデータを入力させる。利用者が入力するデータには、少なくとも利用期間情報Ｉ２、車両情報Ｉ３などが含まれる。
【０１０１】
ステップＳ１０６において、サーバ装置２の予約受付部２３１及び予約管理部２３２は、予約完了処理を実行する。より具体的には、予約受付部は、ユーザ端末により入力されたデータに予約番号Ｇ１を付与したデータを予約データＲ１とし、予約データＲ１をデータベースＤＢに格納する。
【０１０２】
また、予約受付部２３１は、予約が完了した旨の通知をユーザ端末４へ送信する。この通知は、例えば電子メール、ＳＭＳ（Short Message Service）、その他特定のアプリケーションプログラムに対して送信されるメッセージなどである。
【０１０３】
さらに、予約管理部２３２は、暗証番号Ｇ２を生成し、利用期間情報Ｉ２に基づき料金情報Ｉ１を算出する。暗証番号Ｇ２及び料金情報Ｉ１は、予約データＲ１に格納される。
【０１０４】
また、予約管理部２３２は、駐車場入庫証明データＴを生成し、データベースＤＢに格納する。
【０１０５】
ステップＳ１０７〜Ｓ１０９に示す処理は、図４のステップＳ２に相当する処理である。
【０１０６】
ステップＳ１０７において、ユーザ端末４の制御部４３は、サーバ装置２に対し、駐車場入庫証明データ表示要求を送信する。当該表示要求には、予約データＲ１を特定可能な情報が含まれる。以下では、当該表示要求には予約番号が含まれるとする。
【０１０７】
ステップＳ１０８において、サーバ装置２の予約管理部２３２は、ユーザ端末４より受信した駐車場入庫証明データ表示要求に含まれる予約番号と、予約データＲ１に含まれる予約番号Ｇ１とを照会し、両者が一致した場合に、予約番号Ｇ１に対応する駐車場入庫証明データＴを読み出す。予約管理部２３２は、読み出した駐車場入庫証明データＴをユーザ端末４へ送信する。
【０１０８】
ステップＳ１０９において、ユーザ端末４は、受信した駐車場入庫証明データＴを表示する。
【０１０９】
なお、ステップＳ１０７において、駐車場入庫証明データの表示要求に代えて、駐車場入庫証明データＴに含まれる２次元コードＣのみの表示要求を送信してもよい。この場合は、サーバ装置２の予約管理部２３２は、２次元コードＣのみを生成して（又は、予約完了時に生成した２次元コードＣをデータベースＤＢより読み出して）ユーザ端末４に送信する。
【０１１０】
図６は、本実施形態に係る入出庫処理の一例を示すフローチャートである。
【０１１１】
入出庫処理は、図４のステップＳ３，Ｓ４に相当する処理であり、主としてサーバ装置２及び管理端末６により実行される。
【０１１２】
ステップＳ２０１において、管理端末６の予約照会部６３１は、サーバ装置２に対し、部分予約データ取得要求を送信する。
【０１１３】
ステップＳ２０２において、サーバ装置２の予約管理部２３２は、受信した部分予約データ取得要求に基づき、部分予約データＲ２を抽出する。予約管理部２３２は、抽出した部分予約データＲ２を管理端末６へ送信する。
【０１１４】
ステップＳ２０３において、管理端末６の予約照会部６３１は、部分予約データＲ２を受信し、記憶部６２に格納する。
【０１１５】
なお、ステップＳ２０１〜Ｓ２０３の処理は、定期的に実行されることが好ましい。例えば、管理端末６の予約照会部６３１は、毎日０時に、利用開始日の日付が当日を示す部分予約データＲ２をサーバ装置２より受信してもよい。これにより、予約照会部６３１は、毎日０時に当日入庫予定の予約を全て識別（又は照会）可能な状態となる。
【０１１６】
ステップＳ２０４において、予約照会部６３１は、ユーザ端末４に表示された２次元コードＣを読み込み、２次元コードＣに含まれる暗証番号Ｇ２を抽出する。
【０１１７】
ステップＳ２０５において、予約照会部６３１は、暗証番号照会処理を実行する。この暗証番号照会処理により予約済の利用者（又は利用者の車両）が認証される。より具体的には、予約照会部６３１は、ステップＳ２０４において抽出された暗証番号（第１の認証用データ）と、部分予約データＲ２に含まれる暗証番号Ｇ２（第２の認証用データ）とが一致するか否かを判定する。
【０１１８】
ステップＳ２０６において、予約照会部６３１は、ステップＳ２０４において抽出された暗証番号と暗証番号Ｇ２とが一致した場合に、さらに現在時刻が当該暗証番号Ｇ２に紐づけられている利用期間情報Ｉ２に含まれるか否かを判定する。
【０１１９】
現在時刻が利用期間情報Ｉ２に含まれている場合、すなわち認証成功となった場合、予約照会部６３１は、当該利用者の車両の入庫又は出庫を許可する。この場合、ステップＳ２０７において、ゲート制御部６３２は、ゲートを開き、駐車場へ車両を入庫させる。一方、認証失敗となった場合、ゲートは開かれずに処理は終了する。
【０１２０】
なお、ステップＳ２０４においては、ユーザ端末４に表示された２次元コードＣを読み込むことに代えて、例えば利用者により入力部６４を経由して暗証番号Ｇ２が直接入力されてもよい。
【０１２１】
図７は、本実施形態に係る満空情報制御処理の一例を示すフローチャートである。満空情報制御処理は、管理端末６により実行される。
【０１２２】
ステップＳ３０１において、ゲート制御部６３２は、駐車場への車両の入庫及び駐車場からの車両の出庫を検知する。
【０１２３】
ステップＳ３０２において、満空情報制御部６３３は、記憶部２２より入庫数データＤを読み出し、入庫数データＤを更新する。なお、上述のように、入庫数データＤには、予約済の車両の入庫数は含まれない。このため、予約済の車両の入出庫に対しては、入庫数データＤは更新されない。
【０１２４】
ステップＳ３０３において、満空情報制御部６３３は、当日の部分予約データＲ２に含まれる予約数（当日の予約数）と、入庫可能残数とを比較する。なお、入庫可能残数は、入庫可能数から入庫数データＤを減算することにより求められる。
【０１２５】
ステップＳ３０４において、満空情報制御部６３３は、入庫可能残数が当日の予約数以下であるか否かを確認する。
【０１２６】
入庫可能残数が当日の予約数以下である場合は、ステップＳ３０５において、満空情報制御部６３３は、満空表示装置８に「満」を表示させる。
【０１２７】
一方、入庫可能残数が当日の予約数より多い場合は、ステップＳ３０６において、満空情報制御部６３３は、満空表示装置８に「空」を表示させる。
【０１２８】
なお、「満」表示された場合には、未予約の利用者の車両は駐車場に入庫することはできないが、予約済の利用者の車両はステップＳ２０６において認証成功することにより、入庫することができる。したがって、未予約の利用者の数に関わらず、常に予約数分の駐車スペースが確保される。
【０１２９】
ところで、上記の入庫可能数は、駐車スペースに収容可能な総車両数とは異なる任意の数であってもよい。このように、入庫可能数が任意の数を取りうることで、駐車場予約の柔軟な運用が可能となる。
【０１３０】
例えば、車両の入出庫が正しく検出されず、入庫数データＤが実際に駐車場に入庫している車両数よりも小さい値となる場合が考えられる。この場合、当日の予約数以上の入庫可能残数があるにもかかわらず、実際の駐車スペースには予約数分の空きがない、といった事態が起こりうる。このような事態を防ぐため、入庫可能数には、実際の駐車スペースの数よりも少ない値が用いられてもよい。同様に、ステップＳ３０４以降の処理に用いられる入庫可能残数には、ステップＳ３０３において算出された入庫可能残数よりも小さい値が用いられてもよい。
【０１３１】
また、上述のように図７の例では、入庫可能数と同数の予約を受け付け可能であるが、駐車場の一部の車室のみに対して予約を受け付けてもよい。予約を受け付け可能な車室数（以下、予約可能数とする）があらかじめ定められている場合、駐車場の車室が予約のみで埋まることが避けられるため、未予約の利用者の利便性が向上する。
【０１３２】
さらに、ステップＳ３０３以降の処理において、「当日の予約数」は、上記の予約可能数に固定されてもよい。換言すれば、入庫可能数からあらかじめ予約可能枠を除いた車室数が未予約の利用者に開放される。これにより、満空情報の表示において当日の予約状況を考慮する必要がなくなるため、満空情報の表示処理が簡素化される。
【０１３３】
以上説明した本実施形態に係る情報管理システム１において、サーバ装置２は、ユーザ端末４を経由して駐車場の予約を受け付け、利用者に対し、駐車場に入庫するための暗証番号Ｇ２を発行する。また、サーバ装置２は、予約内容を予約データＲ１としてデータベースＤＢに格納する。管理端末６は、データベースＤＢに格納された予約データＲ１のうち、当該駐車場に対応する必要なデータを部分予約データＲ２としてサーバ装置２より取得し、記憶部６２に格納する。管理端末６は、予約済の利用者により入力された暗証番号及び現在時刻と、部分予約データＲ２とを照会することにより、利用者の車両の入出庫を許可するか否かを決定する。以上の処理により、ゲート式駐車場において係員により手動で行われていた予約済の車両の管理が自動で行われるため、係員の作業量を低減できる。さらに、情報管理システム１を適用することにより、例えば無人の駐車場においても容易に予約の受け付け及び運用が可能となる。
【０１３４】
また、利用者は、管理端末６の２次元コード読み取り装置に対してユーザ端末４に表示された２次元コードをかざすことにより、管理端末６に対して暗証番号を入力する。これにより、利用者の車両の入出庫がスムーズとなり、利用者の利便性が向上する。
【０１３５】
本実施形態において、駐車場に設置される管理端末６は、サーバ装置２に対し、予約データＲ１のうち所定の利用期間で絞り込んだデータのみを取得可能である。これにより、管理端末６に格納される部分予約データＲ２のデータ量を抑えることができるため、サーバ装置２と管理端末６との間の通信負荷を低減させることができる。
【０１３６】
本実施形態において、満空情報制御部６３３は、駐車場の入庫可能数、入庫数データＤ、当日の部分予約データＲ２に含まれる予約数に基づいて、満空表示装置８に表示される満空情報を制御する。より具体的には、満空情報制御部６３３は、駐車場の入庫可能残数が当日の予約数以下になった場合には、満空表示装置８に「満」を表示させる。したがって、未予約の利用者の車両の入庫状況に関わらず、予約数分の駐車スペースが確保されるため、予約済の利用者の車両は確実に駐車可能となる。これにより、駐車場の予約を行う利用者の利便性が高まる。
【０１３７】
なお、本実施形態においては、情報管理システム１がゲート式の駐車場に適用される場合について説明した。これに加え、例えば１つ以上の車室を有し、利用者が単独で入出庫の操作が可能な機械式駐車場、パーキングメーター式の駐車場、ロック式の駐車場などにおいても、同様に情報管理システム１を適用可能である。
【０１３８】
また、本実施形態において、ユーザ端末４と管理端末６とは、ネットワークＮを経由して、又は近距離無線通信などにより相互に通信可能であってもよい。例えば、ユーザ端末４と管理端末６とは、Bluetooth（登録商標）、ＮＦＣ（Near Field Communication）、その他規格に準拠する近距離無線通信により通信可能であってもよい。ユーザ端末４は、例えばユーザ端末４に一時的に記憶された暗証番号を、ネットワークＮ又は上述の近距離無線通信を経由して、管理端末６へ入力するとしてもよい。
【０１３９】
本実施形態において、予約データＲ１に含まれる車両情報Ｉ３は省略可能である。一方、管理端末６は、車両情報Ｉ３を用いることにより、例えば車番認証システムなどにより予約した車両の入場及び出庫を確認可能となる。したがって、管理端末６が車両情報Ｉ３を保持することは、不正駐車の抑止などに寄与する。
【０１４０】
さらに、本実施形態においては、暗証番号認証処理に代えて（又は加えて）、車番認証処理が行われてもよい。車番認証処理は、具体的には以下のように実行される。管理端末６は、管理端末６に備えらえた車番認証システムにより入出庫する車両の車番を認識する。より具体的には、利用者が当該利用者の車両を管理端末６に接近させることにより、当該車両の車番が認証用データとして管理端末６に入力される。管理端末６は、認識された車番（第１の認証用データ）と車両情報Ｉ３（第２の認証用データ）とを照会することにより、車番認証を行う。なお、車番認証が行われる場合、部分予約データＲ２には車両情報Ｉ３が含まれることが好ましい。車番認証処理が実行されることで、利用者は意識的に２次元コード又は暗証番号の入力を行う必要がなくなるため（すなわち、駐車場入庫証明データＴが不要となるため）、さらに利用者の利便性が高まる。
【０１４１】
本実施形態において、満空表示装置８には、駐車場の満空情報に基づいて「満」又は「空」が表示されるとして説明した。しかしながら、満空表示装置８には、現在の満空情報に基づいて駐車可能な車両を表す文言等が表示されてもよい。例えば予約分の車室のみが空いている場合、満空表示装置８には、「満」の表示に代えて、予約済の利用者の車両のみが駐車可能である旨（より具体的には、「予約のみ」、「予約者のみ駐車可能」など）の文言を表示し、予約分も含めて全車室に入庫されている場合の「満」の表示と使い分けるよう運用されてもよい。
【０１４２】
本実施形態において、サーバ装置２は、管理端末６により予約済の利用者の車両の入出庫が許可された場合に、当該利用者のユーザ端末４に対し、広告を配信してもよい。広告の配信は、具体的には以下のように実行される。管理端末の予約照会部６３１は、入出庫の際の利用者の認証（ステップＳ２０６）に成功した場合に、サーバ装置２に対し、認証成功の旨の通知を送信する。サーバ装置２の予約管理部２３２は、当該通知を受信し、当該通知に対応する会員データＭを検索する。さらに、予約管理部２３２は、当該会員データＭに対応する広告を生成して、会員データＭが示す会員のユーザ端末４へ広告を送信する。なお、上記の広告は、例えば駐車場の利用料を割り引くクーポンでもよく、又は、再度の利用を促す旨の案内文などでもよい。
【０１４３】
以上、本実施形態を用いて本発明の説明を行ったが、この発明は上記各実施形態に限定されるものではなく、実施段階ではその要旨を逸脱しない範囲で構成要素を変形して具体化できる。また、上記実施形態に開示されている複数の構成要素の適宜な組合せにより種々の発明を形成できる。例えば、実施形態に示される全構成要素から幾つかの構成要素を削除してもよい。更に、異なる実施形態に亘る構成要素を適宜組合せてもよい。
【符号の説明】
【０１４４】
１…情報管理システム、２…サーバ装置、４…ユーザ端末、６…管理端末、２１，４１，６１…通信部、２２，４２，６２…記憶部、２３，４３，６３…制御部、４４，６４…入力部、４５，６５…表示部、７…ゲート、８…満空表示装置、９…精算機、２３１…予約受付部、２３２…予約管理部、６３１…予約照会部、６３２…ゲート制御部、６３３…満空情報制御部、Ｂ１，Ｂ２，Ｂ３…内部バス、Ｄ…入庫数データ、ＤＢ…データベース、Ｎ…ネットワーク、Ｒ１…予約データ、Ｒ２…部分予約データ、Ｍ…会員データ、Ｔ…駐車場入庫証明データ。
【図１】
2019197482.tif 000003
【図２】
2019197482.tif 000004
【図３】
2019197482.tif 000005
【図４】
2019197482.tif 000006
【図５】
2019197482.tif 000007
【図６】
2019197482.tif 000008
【図７】
2019197482.tif 000009
【手続補正書】
【提出日】平成30年8月6日(2018.8.6)
【手続補正１】
【補正対象書類名】特許請求の範囲
【補正対象項目名】全文
【補正方法】変更
【補正の内容】
【特許請求の範囲】
【請求項１】
駐車場の予約データを管理するサーバ装置と通信可能であって、
前記予約データは、前記駐車場の利用開始日時及び利用終了日時により指定される利用期間情報と、第１の認証用データとを含み、
前記サーバ装置より前記予約データのうち前記利用開始日時が所定の期間内にある部分予約データを受信する通信手段と、
前記部分予約データと、前記駐車場へ入庫した未予約の利用者の車両数を示す入庫数データとを記憶する記憶手段と、
予約済の利用者により第２の認証用データの入力を受け付ける入力手段と、
前記第１の認証用データと前記第２の認証用データとを照会する第１の照会処理、及び、現在時刻と前記利用期間情報とを照会する第２の照会処理を実行し、前記第１の照会処理及び前記第２の照会処理に基づいて前記予約済の利用者の認証が成功した場合に、前記予約済の利用者の車両の入庫を許可する制御手段と、
を備え、
前記制御手段は、
前記駐車場の入庫可能数と、前記入庫数データと、前記部分予約データのうち利用開始日が当日を示す予約数とに基づいて、前記駐車場が満車状態であるか空車状態であるかを決定し、
前記駐車場が満車状態の場合に、未予約の利用者の車両の入庫を許可せず、かつ前記認証が成功した前記予約済の利用者の車両の入庫を許可する
情報管理装置。
【請求項２】
前記制御手段は、
前記入庫可能数から前記入庫数データを減算した値が、前記予約数以下である場合に、前記駐車場が満車状態であると決定する
請求項１に記載の情報管理装置。
【請求項３】
駐車場の予約データを管理するサーバ装置と通信可能であって、
前記予約データは、前記駐車場の利用開始日時及び利用終了日時により指定される利用期間情報と、第１の認証用データとを含み、
前記サーバ装置より前記予約データのうち前記利用開始日時が所定の期間内にある部分予約データを受信する通信手段と、
前記部分予約データと、前記駐車場へ入庫した未予約の利用者の車両数を示す入庫数データとを記憶する記憶手段と、
予約済の利用者により第２の認証用データの入力を受け付ける入力手段と、
前記第１の認証用データと前記第２の認証用データとを照会する第１の照会処理、及び、現在時刻と前記利用期間情報とを照会する第２の照会処理を実行し、前記第１の照会処理及び前記第２の照会処理に基づいて前記予約済の利用者の認証が成功した場合に、前記予約済の利用者の車両の入庫を許可する制御手段と、
を備え、
前記制御手段は、
前記駐車場の入庫可能数と、前記入庫数データと、前記駐車場において予約可能な車室数を示す予約可能数とに基づいて、前記駐車場が満車状態であるか空車状態であるかを決定し、
前記駐車場が満車状態の場合に、未予約の利用者の車両の入庫を許可せず、かつ前記認証が成功した前記予約済の利用者の車両の入庫を許可する
情報管理装置。
【請求項４】
前記制御手段は、
前記入庫可能数から前記入庫数データを減算した値が、前記予約可能数以下である場合に、前記駐車場が満車状態であると決定する
請求項３に記載の情報管理装置。
【請求項５】
前記制御手段は、前記第１の認証用データ及び前記第２の認証用データとして暗証番号又は車番を用いることにより、前記第１の照会処理を実行する
請求項１乃至請求項４のいずれか一項に記載の情報管理装置。
【請求項６】
駐車場の予約データを管理するサーバ装置と通信可能であり、前記駐車場に設置される情報管理装置が実行する情報管理方法であって、
前記予約データは、前記駐車場の利用開始日時及び利用終了日時により指定される利用期間情報と、第１の認証用データとを含み、
前記サーバ装置より前記予約データのうち前記利用開始日時が所定の期間内にある部分予約データを受信することと、
前記部分予約データと、前記駐車場へ入庫した未予約の利用者の車両数を示す入庫数データとを記憶することと、
予約済の利用者により第２の認証用データの入力を受け付けることと、
前記第１の認証用データと前記第２の認証用データとを照会する第１の照会処理を実行することと、
現在時刻と前記利用期間情報とを照会する第２の照会処理を実行することと、
前記第１の照会処理及び前記第２の照会処理に基づいて前記予約済の利用者の認証が成功した場合に、前記予約済の利用者の車両の入庫を許可することと、
前記駐車場の入庫可能数と、前記入庫数データと、前記部分予約データのうち利用開始日が当日を示す予約数とに基づいて、前記駐車場が満車状態であるか空車状態であるかを決定することと、
前記駐車場が満車状態の場合に、未予約の利用者の車両の入庫を許可せず、かつ前記認証が成功した前記予約済の利用者の車両の入庫を許可することと、
を具備する情報管理方法。
【請求項７】
駐車場の予約データを管理するサーバ装置と通信可能であり、前記駐車場に設置される情報管理装置が実行する情報管理方法であって、
前記予約データは、前記駐車場の利用開始日時及び利用終了日時により指定される利用期間情報と、第１の認証用データとを含み、
前記サーバ装置より前記予約データのうち前記利用開始日時が所定の期間内にある部分予約データを受信することと、
前記部分予約データと、前記駐車場へ入庫した未予約の利用者の車両数を示す入庫数データとを記憶することと、
予約済の利用者により第２の認証用データの入力を受け付けることと、
前記第１の認証用データと前記第２の認証用データとを照会する第１の照会処理を実行することと、
現在時刻と前記利用期間情報とを照会する第２の照会処理を実行することと、
前記第１の照会処理及び前記第２の照会処理に基づいて前記予約済の利用者の認証が成功した場合に、前記予約済の利用者の車両の入庫を許可することと、
前記駐車場の入庫可能数と、前記入庫数データと、前記駐車場において予約可能な車室数を示す予約可能数とに基づいて、前記駐車場が満車状態であるか空車状態であるかを決定することと、
前記駐車場が満車状態の場合に、未予約の利用者の車両の入庫を許可せず、かつ前記認証が成功した前記予約済の利用者の車両の入庫を許可することと、
を具備する情報管理方法。
【請求項８】
駐車場の予約データを管理するサーバ装置と通信可能であり、前記駐車場に設置されるコンピュータにより実行されるプログラムであって、
前記予約データは、前記駐車場の利用開始日時及び利用終了日時により指定される利用期間情報と、第１の認証用データとを含み、
前記サーバ装置より前記予約データのうち前記利用開始日時が所定の期間内にある部分予約データを受信する手段と、
前記部分予約データと、前記駐車場へ入庫した未予約の利用者の車両数を示す入庫数データとを記憶する手段と、
予約済の利用者により第２の認証用データの入力を受け付ける手段と、
前記第１の認証用データと前記第２の認証用データを照会する第１の照会処理を実行する手段と、
現在時刻と前記利用期間情報とを照会する第２の照会処理を実行する手段と、
前記第１の照会処理及び前記第２の照会処理に基づいて前記予約済の利用者の認証が成功した場合に、前記予約済の利用者の車両の入庫を許可する手段と、
前記駐車場の入庫可能数と、前記入庫数データと、前記部分予約データのうち利用開始日が当日を示す予約数とに基づいて、前記駐車場が満車状態であるか空車状態であるかを決定する手段と、
前記駐車場が満車状態の場合に、未予約の利用者の車両の入庫を許可せず、かつ前記認証が成功した前記予約済の利用者の車両の入庫を許可する手段と、
して機能させるためのプログラム。
【請求項９】
駐車場の予約データを管理するサーバ装置と通信可能であり、前記駐車場に設置されるコンピュータにより実行されるプログラムであって、
前記予約データは、前記駐車場の利用開始日時及び利用終了日時により指定される利用期間情報と、第１の認証用データとを含み、
前記サーバ装置より前記予約データのうち前記利用開始日時が所定の期間内にある部分予約データを受信する手段と、
前記部分予約データと、前記駐車場へ入庫した未予約の利用者の車両数を示す入庫数データとを記憶する手段と、
予約済の利用者により第２の認証用データの入力を受け付ける手段と、
前記第１の認証用データと前記第２の認証用データを照会する第１の照会処理を実行する手段と、
現在時刻と前記利用期間情報とを照会する第２の照会処理を実行する手段と、
前記第１の照会処理及び前記第２の照会処理に基づいて前記予約済の利用者の認証が成功した場合に、前記予約済の利用者の車両の入庫を許可する手段と、
前記駐車場の入庫可能数と、前記入庫数データと、前記駐車場において予約可能な車室数を示す予約可能数とに基づいて、前記駐車場が満車状態であるか空車状態であるかを決定する手段と、
前記駐車場が満車状態の場合に、未予約の利用者の車両の入庫を許可せず、かつ前記認証が成功した前記予約済の利用者の車両の入庫を許可する手段と、
して機能させるためのプログラム。
【手続補正２】
【補正対象書類名】明細書
【補正対象項目名】０００６
【補正方法】変更
【補正の内容】
【０００６】
本発明の実施形態によれば、情報管理装置は、駐車場の予約データを管理するサーバ装置と通信可能である。前記予約データは、前記駐車場の利用開始日時及び利用終了日時により指定される利用期間情報と、第１の認証用データとを含む。前記情報管理装置は、前記サーバ装置より前記予約データのうち前記利用開始日時が所定の期間内にある部分予約データを受信する通信手段と、前記部分予約データを記憶する記憶手段と、予約済の利用者により第２の認証用データの入力を受け付ける入力手段と、前記第１の認証用データと前記第２の認証用データとを照会する第１の照会処理、及び、現在時刻と前記利用期間情報とを照会する第２の照会処理を実行し、前記第１の照会処理及び前記第２の照会処理に基づいて前記予約済の利用者の認証が成功した場合に、前記予約済の利用者の車両の入庫を許可する制御手段とを備える。前記制御手段は、前記駐車場の入庫可能数と、前記入庫数データと、前記部分予約データのうち利用開始日が当日を示す予約数とに基づいて、前記駐車場が満車状態であるか空車状態であるかを決定し、前記駐車場が満車状態の場合に、未予約の利用者の車両の入庫を許可せず、かつ前記認証が成功した前記予約済の利用者の車両の入庫を許可する。